Podtech/llm-jp-corpus-v4-ja_patent huggingface dataset:
(57)【要約】     【課題】  災害時などに、消火栓から飲料水を得たい時に使用し、着脱などの設置時の取扱い作業が簡単な緊急用応急給水栓を提供する。    【解決手段】  剛性パイプ製の主管１の下端に、消火栓Ａの給水口に連結固定する為の接続金具２が付いている。主管１の上端には、ユニオン３を介して、分岐管４が連結されている。分岐管４には複数の単水栓５が付いている。主管１と分岐管４とは、ユニオン３によって着脱自在に連結されていて、別種形式のものと自由に組替えることができる。主管１としては、まっすぐな形状の地下式消火栓用のものや、屈曲した形状の地上式消火栓用のものなどを用意する。分岐管４には、単水栓５の取付個数の異なったものを用意する。【選択図】  図１
0003114874.tif 000002
【実用新案登録請求の範囲】
【請求項１】
剛性の主管と、主管の下端に取付けられた、消火栓の給水口に結合固定するための接続金具と、主管の上端に、ユニオンを介して連結された剛性の分岐管と、分岐管に取付けられた複数の単水栓とからなる緊急用応急給水栓。
【請求項２】
主管は剛性で、まっすぐな管であり、地下式の消火栓に連結して用いる請求項１記載の緊急用応急給水栓。
【請求項３】
主管は剛性で、屈曲した管であり、地上式の消火栓に連結して用いる請求項１記載の緊急用応急給水栓。
【考案の詳細な説明】
【技術分野】
【０００１】
本考案は、災害発生時などの緊急時に、飲料水を必要とする場所で、消火栓に接続することにより、簡単に飲料水を得ることのできる緊急用応急給水栓に関する。
【背景技術】
【０００２】
災害発生時などに消火栓から飲料水を得ようとしても、消火栓の口は大きくて、口を開けると、大量の水が噴き出してしまい、充分に利用することができない。この為、従来、緊急時などに消火栓に連結して使用する形式の給水栓は既に提案されている。（特許文献１参照）
【０００３】
【特許文献１】特開２００２−１３１６７号公報
【考案の開示】
【考案が解決しようとする課題】
【０００４】
ところが、従来提案されている緊急用の給水栓は、柔軟なホースに多数の単水栓を取付けた構成で、このホースの端を消火栓に接続して使用するものである。この為、多数の給水口の確保はできるものの、ホースの支持装置などが必要となり、装置全体が大掛りで、緊急時の設置や取外しなどに際しての取扱いが不便だという問題がある。
【０００５】
本考案は、このような点に鑑み、緊急時などにおける、設置や取外しなどの取扱い作業が簡単な緊急用応急給水栓を提供するにある。
【課題を解決するための手段】
【０００６】
本考案の緊急用応急給水栓の技術的手段は、剛性の主管と、主管の下端に取付けられた、消火栓の給水口に結合固定するための接続金具と、主管の上端に、ユニオンを介して連結された剛性の分岐管と、分岐管に取付けられた複数の単水栓とからなることにある。
【０００７】
また、主管を、剛性で、まっすぐな管として、地下式の消火栓に用いるようにしてもよい。更に、主管を、剛性で、屈曲した管として、地上式の消火栓に用いるようにしてもよい。
【考案の効果】
【０００８】
本考案の緊急用応急給水栓は、災害時など、飲料水が必要になった時に、消火栓に接続し、その単水栓の開閉によって、通常のように容易に飲料水を得ることができるので、緊急用の給水栓としての利用価値が大である。また、主管は剛性で、下端の接続金具を、消火栓に連結すれば、給水栓の全体がしっかりと支持固定されるようになる他、連結時の着脱作業が容易で、緊急時の取扱いに有利である。更に、分岐管には複数の単水栓が付いているので、必要に応じて、通常のように各単水栓から飲料水を取り出すことができる。
【０００９】
請求項２のものでは、主管がまっすぐであるから、地下設置の消火栓に用いて好適である。
【００１０】
請求項３のものでは、主管が屈曲しているので、地上設置の消火栓に用いて好適である。
【考案を実施するための最良の形態】
【００１１】
本考案の緊急用応急給水栓を実施するための最良の形態を、図面の実施例に基づいて説明する。図１、図２に示されているのは、第１実施例で、消火栓Ａが地面ＧＬ下に設置されている、地下式の場合に用いるものである。１は主管で、剛性のパイプ体で作られ、長さは１ｍ程度である。その材質は実施例では、防錆性を得る為にステンレス鋼が用いられている。また、管径は２５ｍｍ程度のやや太径のものが用いられ、複数の給水口に充分な量の水を送れるようになっている。
【００１２】
主管１の下端には、消火栓Ａの給水口に結合させる為の接続金具２が取付けられている。この接続金具２には、ネジ式などのような着脱操作が簡単で、固定状態では堅固な支持力を有するものが選定して用いられている。主管１の上端には、ネジ式の連結用のユニオン３を介して分岐管４が連結されている。
【００１３】
分岐管４には、複数の単水栓５が取付けられている。単水栓５の数は、図示例では４個であるが、その数は自由であり、２個でも、６個でもよい。単水栓は、個々に開閉が可能で、通常の水使用に対応できる。
【００１４】
ユニオン３によって、主管１と分岐管４との連結部の着脱が自由であるから、主管１や分岐管４を別種のものと自由に取替えることができ、製造時の組立作業や、使用時の組替作業に都合がよい。図３は、屈曲した主管１を用いた第２実施例であり、消火栓Ａが地上式の場合に使用する。
【００１５】
次に、本考案の緊急用応急給水栓の使用方法について説明する。この給水栓の主管１と分岐管４とは、ユニオン３によって着脱自在であり、両管を種類の異なったものと組替えることが可能であるから、例えば、主管１を、使用時などに、地下式用のまっすぐな管にしたり、地上式用の屈曲管にしたりする変更が可能であり、また、分岐管４を単水栓の取付個数の異なったものに組替えることができる。この給水栓は、地下設置や地上設置の消火栓の給水口に連結して使用する。この連結は、接続金具２によって、消火栓の給水口に強固に固定する。この結果、主管１や分岐管４が剛性であるのと相俟って、給水栓はしっかりと支持固定され、別個の支持部材などは不要である。このようにして給水栓を取付けた後は、必要に応じ、各単水栓を用いて、通常のように飲料水を取り出すことができる。また、使用後は、給水栓を消火栓から取外して、適当な場所に収納する。
【００１６】
本考案は、前記の実施例に限定されるものではなく、実用新案登録請求の範囲の記載の範囲内で自由に変形実施可能である。特に、主管１や分岐管４の種類や形状、接続金具２やユニオン３の構造、単水栓５の取付個数などは自由である。
【図面の簡単な説明】
【００１７】
【図１】本考案の緊急用応急給水栓の第１実施例の使用状態の正面図。
【図２】第１実施例の平面図。
【図３】第２実施例の使用状態の側面図。
【符号の説明】
【００１８】
１        主管
２        接続金具
３        ユニオン
４        分岐管
５        単水栓
Ａ        消火栓
【図１】
0003114874.tif 000003
【図２】
0003114874.tif 000004
【図３】
0003114874.tif 000005
(57)【要約】【課題】本考案は、光ディスクを二つ折りにすることで、再現不能な状態に破砕するものである。【解決手段】本考案は、ちょうつがい２で結合された可動板１に、押さえ板３とすきま材４を設け、押さえ板３と可動板１の間に光ディスク６を挿入し、穴５に手を入れて可動板１を二つ折りにすることで、光ディスク６を破砕する。【選択図】図１
0003114818.tif 000002
【実用新案登録請求の範囲】
【請求項１】
ちょうつがいなどで結合された二枚の可動板からなり、当該各可動板の結合端に光ディスクの厚み分のすきまを設けた押さえ板を持ち、当該すきまに光ディスクを挿入し、当該可動板を二つ折りにすることで光ディスクを破砕する装置。
【考案の詳細な説明】
【技術分野】
【０００１】  本考案は、ちょうつがいなどで結合された二枚の可動板および各可動板に設けられた記録媒体押さえ板を持つ、光ディスク破砕装置に関するものである。
【背景技術】
【０００２】  記録式、あるいは読み出し専用光ディスクの普及に伴って、同ディスクの廃棄の際、そのまま捨ててしまうことで、個人あるいは企業の情報漏えいが発生することがあった。
【考案の開示】
【考案が解決しようとする課題】
【０００３】  従来、光ディスクを情報漏えいなく廃棄する方法として、シュレッダーで数枚に切断する、記録面に様々な方法で傷をつけるという方法があった。【０００４】  しかし、光ディスクをシュレッダーで数枚に切断する方法は、切断片の形が規則的で、切断片を全部集めて接着してしまえば、元の光ディスクの形状を復元でき、部分的にデータを読み取ることが可能である。また、シュレッダーで光ディスクを切断するには、時間、労力を要する。また、シュレッダーは、いずれ切断刃あるいは本体の交換が必要になってしまう。【０００５】  光ディスクの記録面に傷をつける方法は、傷が浅い場合は、記録面を研磨することで事実上傷をなくすことが出来るため、読み取り可能になってしまう。深く傷をつけるには、時間と労力を要する。【０００６】  本考案は、光ディスクを情報読み取り不能になるまで破壊することを、容易に行う手段を提供しようとするものである。
【課題を解決するための手段】
【０００７】  本考案は、ちょうつがいなどで結合された二枚の可動板に、光ディスクの厚み分のすきまを設けた押さえ板からなる。押さえ板の下に光ディスクを挿入し、二枚の可動板を二つ折りにすることで、光ディスクを破砕する。
【考案の効果】
【０００８】  光ディスクを二つ折りにして破砕することで、光ディスクの破片は不規則な形となり、破片によっては光ディスクの記録膜が剥がれたり、米粒程度の微小な破片を生じたりする。【０００９】  上述の結果より、光ディスクの破片を集めて形状を復元し、情報読み取りを行うことは、著しく困難となる。したがって、光ディスクの廃棄に伴う情報漏えいの可能性を、従来技術より低くすることが可能となる。【００１０】  本考案は、刃状の部位を持たないため、安全に取り扱うことができ、刃の磨耗について気をつける必要がない。
【考案を実施するための最良の形態】
【００１１】  電気などの動力を使用せず、手作業で破砕作業を行える形態が望ましい。
【実施例】
【００１２】  以下、添付図面にしたがって一実施例を説明する。１は光ディスクよりも強度が高い可動板、２は二つ折り時の応力に耐えられる強度のちょうつがい、３は二つ折り時に光ディスクが湾曲しない程度の強度を持つ押さえ板、４はすきま材で光ディスクと同じ程度の厚みを持ち、かつ二つ折りの応力に耐えられる素材、５は手を入れる穴、６は破砕される光ディスクである。【００１３】  まず、左右の可動板１を互いに水平になるようにし、押さえ板３の下に光ディスク６を完全に挿入する。次に左右の穴５に手を入れて可動板１を握り、可動板を二つ折りにする。すると光ディスク６が割れて破片が生じる。破片が大きなものであれば、今度は該破片を押さえ板３の下に挿入し、可動板を二つ折りにする。【００１４】  押さえ板３の下に破片が残ってしまった場合は、可動板１を二つ折りにした状態で、すきま材４と同程度の厚みの定規などを押し込んで、破片を取り出す。
【図面の簡単な説明】
【００１５】
【図１】本考案の光ディスク破砕装置の実施例を示す平面図である。
【図２】光ディスク破砕装置の中央近くの断面図である。
【符号の説明】
【００１６】  １  可動板
２  ちょうつがい
３  押さえ板
４  すきま材
５  穴
６  光ディスク
【図１】
0003114818.tif 000003
【図２】
0003114818.tif 000004
(57)【要約】      （修正有）【課題】苦痛を与えず、肌に傷を付けず、しかも効果の大なる灸治療方法を提供する。【解決手段】練りもぐさ２を患部に貼付し加熱部３にて加熱させる、又は練りもぐさ２を加熱部３に装着させて使用する。【選択図】図２
0003114812.tif 000002
【実用新案登録請求の範囲】
【請求項１】
灸治療において、人体の患部に貼付されたる練りもぐさの上面を、発熱体を内部に設けた加熱部の底板を接触せしめる事により加熱することを特徴とする練りもぐさ温灸器。
【請求項２】
灸治療において、発熱体を内部に設けた加熱部の外部底面に、略底面形の練りもぐさを装着するようにしてなることを特徴とする練りもぐさ温灸器。
【考案の詳細な説明】
【技術分野】
【０００１】  本考案は、患部の灸治療に特殊な練りもぐさを用いる温灸器に関するものである。
【背景技術】
【０００２】  従来の灸は、人体の患部のツボと称する部位に少量の、もぐさを置き、そのもぐさに線香にて点火し、その燃焼による高熱によって熱刺激を与え治療する方法が相当古い時代より実施されていた、近年に至り短時間の熱刺激のもの、或いは低い温度にて一定時間、患部を加温するものが市販されている。
【特許文献】
【考案の開示】
【考案が解決しようとする課題】
【０００３】  古い時代より普及している、もぐさに点火する方式の灸は、あまりにも高熱であるため患者に苦痛を与える、又火傷により肌を損傷し好ましい治療方法でなかった、近年開発された加熱時間を僅かにしたものは火傷を防止するが、加熱時間が極めて短時間であるため治療効果は、当然低下する、低温にて長時間、加温するものもあるが、単に加温する程度では大きな治療効果は期待できない、そこで苦痛なく使用でき、且つ治療効果のあるものが要望されている。
【課題を解決するための手段】
【０００４】  本案は、上記問題点を解決するためになされたものであって、人体の患部のツボ部位を火傷しない程度の高温にて、加熱するのであるが、単に加熱するのでなく、各種の薬草にて作られた特殊な練りもぐさを患部の上に置き、その上より加熱して薬草より発する治療効果にて治癒する、この場合に練りもぐさを、加熱部に装着する方式にすることも可能である。
本案の加熱部の熱源としては、家庭電力を利用した電熱方式が一般的で使用便利であるが、化学的発熱物質を利用すれば、携帯用として随意な場所にて使用することができる、又小型バッテリー電源を利用する携帯方式も可能なことは勿論である。
【考案の効果】
【０００５】  本案によれば次のような効果が得られる、従来の灸もぐさは、よもぎの葉を乾燥して作られたものであるが、本案に使用する練りもぐさは、よもぎ葉も使用されているが、それ以外に薬効を有する各種の薬草を混合して練りあげたものであるため治癒効果は各段に顕著である。又従来灸に比し温度が低いため、高熱による苦痛が全くなく、火傷による傷も全く発生せず、安易、安全に使用することができる効果がある。
【考案を実施するための最良の形態】
【０００６】  人体の治癒を必要とする箇所の、ツボと称する部位の上に、本案の練りもぐさを、厚さ３ｍｍ乃至１５ｍｍ程度にて、面積は郵便切手大より葉書大に作られたものを置き、その練りもぐさの上面に、加熱部を押し当てることにより、練りもぐさを加熱せしめる方式と、又他の方式として、加熱部の下面全体に練りもぐさを装着することにより練りもぐさを加熱せしめ使用する。
電力をした加熱部の温度調整は、電圧調整器にて加熱部に印加される電圧を加減することにより温度調整する。
【実施例】
【０００７】  以下本考案を図面に基づき詳細に説明する、図１は本考案の練りもぐさ温灸器において練りもぐさを患部に貼付して使用する場合の側面図であって、１は人体である、２は練りもぐさであって、この練りもぐさは、よもぎ葉を乾燥し粉末にしたものに、各種の薬草粉末を混合し、練り上げたものであるため、熱すると治癒効果のある成分を放出し顕著な効果を発生するものである。
実施に際し人体１に貼付する練りもぐさ２の形状、量についての定めはないが、適当と思える形量は、厚さは約３ｍｍ乃至１５ｍｍ程度、面積は郵便切手大より葉書大程度が、使い勝手がよい。
実施の場合は、人体１の治療を必要とする患部のツボと称する部位の上に練りもぐさ２を適量、平らに貼り付ける、３は練りもぐさ２を加熱するための加熱部にして内部には電気発熱線が設けられており家庭の一般電力に接続して使用するが、加熱部３の温度を加減する場合は、市販の電圧調整器を利用することにより容易に調整は可能である。
４は取っ手であって加熱部３を操作する際に、握る棒状のものである、中空であって電線管も兼ねている。
実施方法は加熱部３に通電し、滴温に達したならば、加熱部３の裏面にて練りもぐさ２の上面を摺動させて、練りもぐさ２を加熱し、放出する薬草熱を人体１に伝導する。【０００８】  図２は本案練りもぐさ温灸器において、練りもぐさ２を加熱部３に装着して使用する場合の側面図であって、人体１には練りもぐさ２を貼らず、練りもぐさ２を加熱部３の裏面に取り付ける方式である。
この場合の練りもぐさ２は、加熱部３の裏面と、ほぼ同形に作られており、装着手段としては、色々な方法が考えられるため、どのような方法を用いても良いことは勿論である、本図面に記載した方法は、練りもぐさ２の中に紐又は金属線を通して、それを緊締具５として、縛り付けたものてある、この方式は練りもぐさの量が少量で済み、使い便利な面がある、灸としての効果は、図１も図２も、相違は殆どない。【０００９】  加熱部３は電力電源でなくバッテリー電源にて携帯用として使用可能なことは勿論である、又化学的発熱物質を利用して、練りもぐさを加熱させることも勿論可能である。
本考案は、このように特殊な練りもくさを使用するため治癒効果の高い灸治療ができる本考案は、このような実施例に何等限定されるものでなく、本考案の要旨を逸脱しない範囲において種々なる態様で実施し得るは勿論である。
【産業上の利用可能性】
【００１０】  本考案の利用可能性としては、治療面でなく、保健上にも効果があるため、この面にても活用できるものである。
【図面の簡単な説明】
【００１１】  図１は本考案の、練りもぐさ温灸器において、練りもぐさを人体に貼付して使用する場合の側面図である、図２は本考案の、練りもぐさ温灸器において、練りもぐさを加熱部に装着して使用する場合の側面図である。
【符号の説明】
【００１２】  １  人体
２  練りもぐさ
３  加熱部
４  取っ手
５  緊締具
【図１】
0003114812.tif 000003
【図２】
0003114812.tif 000004
(57)【要約】      （修正有）【課題】本考案は掴み所がなく持ちにくい棺に把手を付け持ち安く運び安い棺を提供する事にある。【解決手段】本考案は棺の底部両側面に把手が貫ける穴を開け把手を取り付ける事によって整然と運べる棺を提供した。又、棺、安置の際は把手は取り外され裏底に目立たぬ様に収納される仕組みになっている。【選択図】図１ａ
0003114815.tif 000002
【実用新案登録請求の範囲】
【請求項１】
底の部分に取り付け、取り外し容易な把手があり、移動の際、持ち安く整然とした姿勢で運ぶことができるように工夫された棺。
【請求項２】
上記の把手は持ち安さを考え丸い固い棒で作られており、棺、安置の際は目立たぬ様に棺の裏底に収納されている棺
【考案の詳細な説明】
【技術分野】
【０００１】本考案は、底の部分に取り付け、取り外し容易な把手を付ける様に工作された棺に関するものである。
［背景技術］【０００２】自宅、病院等において死者が出た場合、死者は通常、突起物のない直方体の木箱＝棺に入れられていた。
［考案の開示］
［考案が解決しようとする課題］【０００３】現状の棺は、通常、掴み所がなく大変持ちにくく運びづらい。遺族達が落とさない様に気を使いながら、腰を曲げて運ぶ姿はあまり見栄えの良いものではないし、間違ってころんだり、落としたりしたら大変な事態になってしまう。
［課題を解決するための手段］【０００４】本考案は、棺を持ち安くし、間違っても落としたりする事のない様に棺の底の部分に側面から底板に密着させて貫いた把手を三か所取り付け、計６人にて整然と運べる様にしたものである。
［考案の効果］【０００５】既存の棺にも、持ち安さを考え、吊りバンドを多数付けたり、洋服箪笥の引き手の様なものを木製で作り側面に張り付けたものなどがあるが、強度の面でいずれも不安を残し、又、見栄えの点でもいまいちである。その点本考案は、把手を底板に密着させる事により非常に強度を備えるものとなった。
又、安置する際には抜き取って簡単に取り外す事が出来、裏底に収納する事によって見栄えを害する事もない。
［実施例］【０００６】以下、添付図面に従って実施例を説明する。  図１のように棺、本体から側面に突き出した把手の部分は１３センチくらいの長さが程よく、太さは直径３センチくらいの固い棒がよい。
棺の底の把手取り付け部分の形状は図３のａタイプとｂタイプと２通り考えられたが製作過程及び強度の面から熟考の末、ａタイプに決定した。
又、葬儀という隠蔽のイメージにそぐう点からもａを優先した。
【図面の簡単な説明】
【０００７】
【図１ａ】把手取り付け時の見取り図である。上部は色々な形態があり本校案の言及する範囲ではない。
【図１ｂ】把手取り外し、裏底に収納時の見取り図である。
【図２ａ】解り安くするために棺を裏返しにした時の把手取り付け時の見取り図
【図２ｂ】解り安くするために棺を裏返しにした時の把手取り外し収納時の見取り図
【図３ａ】本考案の最終決定案の棺、側面図  製作過程がより簡単になる
【図３ｂ】円内に拡大されて描いてある様な足駒を底部に接着するやりかた。死者の体重により５０から１００ｋｇの重量がかかるので接着にやや不安を感じる。
【図１ａ】
0003114815.tif 000003
【図１ｂ】
0003114815.tif 000004
【図２ａ】
0003114815.tif 000005
【図２ｂ】
0003114815.tif 000006
【図３ａ】
0003114815.tif 000007
【図３ｂ】
0003114815.tif 000008
(57)【要約】      （修正有）【課題】凸凹ザラザラ面に強力に強固に吸着する吸盤を提供する。【解決手段】吸盤１の円周にシリコンゴムリング２を装着し、テコカム５で内外の気圧差をつくり強力に吸着固定する。【選択図】図４
0003114817.tif 000002
【実用新案登録請求の範囲】
【請求項１】
吸盤の吸着部分円周に平板、又は山切りカットのシリコン樹脂系ゴムリングを装着し、テコカムを利用して内外に気圧差をつくり、凸凹ザラザラ面にも強力に吸着することを特徴としうる吸盤。
【考案の詳細な説明】
【技術分野】
【０００１】  本考案は、吸盤の円周に平板及び山切りカットのシリコン樹脂系ゴムリングを装着した吸盤に関したものである。
【背景技術】
【０００２】  従来は、凸凹面ガラスとか塩化ビニール系又は合成樹脂系のザラザラ面に吸着することのできる吸盤は無かった。
【考案の開示】
【考案が解決しようとする課題】
【０００３】  吸盤を使用したくても従来の吸盤では使用する場所が限られていた。凸凹ガラス及び塩化ビニール系又は合成樹脂系のザラザラした所が多く、補助板を利用するなど剥がすときも余計な手間がかかり、又剥離した後キズとかスミができる等問題点が多かった。
従って、シリコンゴムリングを装着することにより前述の欠点を解決しようとするものである。
【課題を解決するための手段】
【０００４】  本考案は、吸盤の円周に平板又は山切りカットのシリコンゴムを装着し、凸凹ザラザラ面のすき間に密着させて、テコカムで内外に気圧差をつくることにより、これまでの問題点を解決している。
【考案の効果】
【０００５】  上述のように、本考案は凸凹ザラザラ面のガラスや塩化ビニール、合成樹脂系ボード、自動車のダッシュボード等、幅広く利用でき、吸盤補助板等の必要もなく、吸盤の応用利用を広大するものである。
【考案を実施するための最良の形態】
【０００６】  吸盤の円周に２ミリ×６ミリ位の平板シリコンゴムか、又は各辺が５〜６ミリ位の正三角形山切りカットシリコンゴムリングを装着する。吸盤の上部にテコカムを設ける。
【実施例】
【０００７】  以下添付図面参照にて実施例を説明する。
１吸盤本体に、２シリコンゴムリングを装着し、３テコカムで、１吸盤をザラザラ面に強力に固定する。５フックに物を掛ける。
【図面の簡単な説明】
【０００８】
【図１】本考案のシリコンゴムリングを装着した吸盤正面図。
【図２】本考案の平板シリコンゴムリングの断面図。
【図３】本考案の山切りカットシリコンゴムリングの断面図。
【図４】本考案使用時の側面図。
【符号の説明】
【０００９】１吸盤本体
２シリコンゴムリング
３平板シリコンゴムリング
４山切りカットシリコンゴムリング
５テコカム
６フック
【図１】
0003114817.tif 000003
【図２】
0003114817.tif 000004
【図３】
0003114817.tif 000005
【図４】
0003114817.tif 000006
(57)【要約】【課題】本考案は、桐の特性を利用して通気性及び、骨壷ごと土に埋葬できるよう、なおかつ収骨時に骨を粉骨することなく、収められる機能を持たせる。【解決手段】本考案の桐製三角傾斜型骨壷は、本体、上蓋とも桐で形成されておりなおかつ、動物の頭蓋骨に類似している三角形の為、自然に無理なく収められ、丸型と異なり長広いスペースを確保でき、全ての骨を砕くことなく収めることを特徴とする。【選択図】図１
0003114814.tif 000002
【実用新案登録請求の範囲】
【請求項１】
桐製三角傾斜型骨壷は、二等辺三角形の広長いスペースを利用して、従来の丸型陶器製骨壷に比べ、骨を砕くことなくそのままの状態で収骨できる桐製三角傾斜型骨壷。
【請求項２】
桐製三角傾斜型骨壷はペットの頭蓋骨に合わせた三角形で形成される事により余分なスペースを省き無理なく収めることが出来る桐製三角傾斜型骨壷。
【請求項３】
桐製三角傾斜型骨壷は、桐の特性である通気性を利用して、収められている骨の湿気を防ぎ、土に埋葬する際骨壷ごと埋葬出来ることを特徴とする桐製三角傾斜型骨壷。
【考案の詳細な説明】
【技術分野】
【０００１】本考案は、ペット用の骨壷に関するものである。
【背景技術】
【０００２】現在、ほとんどのペット霊園で使用されている骨壷は、丸型陶器製の６種類のサイズに分類された骨壷であり、骨拾いの際、足の大腿骨などの長い骨は砕いて収めている。この骨を砕く作業は、度々、飼い主とのクレームになっている。又、犬や猫の頭蓋骨は三角形に類似しており、丸型の骨壷では，犬種により収めづらい時もある。（鼻先の長い犬など）その場合、一回り大きい骨壷を使用することになる。
又、飼い主が自宅に持ち帰り供養する場合、陶器製の骨壷は、長い期間自宅に安置すると、結露による湿気によって骨どうしが凝固してしまう。又、土に埋葬する際、陶器の骨壷は土に返らない為、骨のみを埋葬して、骨壷は割って処分するのが通例となっている。
同じく自宅で供養する際、大きい骨壷は大部分の飼い主には好まれない。大型犬は６寸〜７寸（直径約１８０ｍｍ〜２１０ｍｍ）のサイズになる。
【考案の開示】
【考案が解決しようとする課題】
【０００３】現在の陶器製骨壷は、それぞれの形体で６種類から選択しており、霊園側担当者の経験で骨壷の選択をするが、例えると猫の場合３寸もしくは４寸を使用するが担当者の経験が浅いと、選択を誤り無理に骨を砕いて、それが飼い主に対し不快を与え、霊園自体の評価を下げてしまう。【０００４】陶器製の骨壷は、密封された状態なので結露による骨の凝固は、埋葬する際、骨壷に付着してしまう。又、骨壷の処分に手間が掛かり中には、骨壷ごと埋葬する飼い主もいるのが現状。【０００５】丸型骨壷は置き場を取られる為、キャパシティーの限られた納骨堂での供養は、大きな骨壷ほど余分なスペースが無くなり、他の仏具など（ドライフラワー、写真など）飾るスペースが狭くなる。【０００６】本考案は、このような点に鑑みて成されたものであり、その目的は霊園側と、飼い主側のトラブルを未然に防ぎ、なおかつ霊園担当者のスムーズな業務遂行と、飼い主に満足していただける様にすることにある。
【課題を解決するための手段】
【０００７】上記の目的を達成する本考案の桐製三角傾斜型骨壷は、４種類に分類される。
Ａ＝兎・フェレット用        Ｂ＝猫・子犬用
Ｃ＝中型犬用                Ｄ＝大型犬用
それぞれの桐製三角傾斜型骨壷は、各種ペットの頭蓋骨の統計の元に形成され傾斜角度も無駄の無い角度に形成されている。猫は３寸か４寸で迷うことなくきっちり収まる。又、長い大腿骨は、二等辺の長さが１４０ｍｍあるので、砕くことなく収めることが可能。【０００８】桐製三角傾斜型骨壷は、桐の土に返る特性を利用して直接、埋葬出来及び、桐は通気性に優れているので、長期間の自宅供養にも結露することなくそのままの状態を保つことが可能。【０００９】桐製三角傾斜型骨壷は、骨壷内部の無駄なスペースを省くため、上開口部が前方に傾斜しており、よりコンパクトに観える。
【考案の効果】
【００１０】以上説明したように本考案による効果は二つに分類される。
一つはペット霊園側の効果である。ペットを失った悲しみからほとんどの飼い主は、霊園側の言葉遣いや行動に神経が過敏になり、些細な事がトラブルに発展しかねない。桐製三角傾斜型骨壷は、トラブルを未然に防ぎ、より作業しやすく、何よりも桐製三角傾斜型骨壷の利点を説明する事により、飼い主に安心感と霊園への信頼感を提供できる。
又、陶器製骨壷に比べ、桐製三角傾斜型骨壷は、割れることが無いので破損事故の防止、及び軽量の為、抱き合わせ、重ね入れの発送が可能になり、輸送費の削減になる。在庫保管にも場所を取らない。
二つ目は、飼い主側の効果である。骨を砕かれる事無く、丁寧に収められる安心感と、桐の骨壷のまま土に返してあげることにより、悲しみから断ち切り、思い出と替わる事が出来る。
【考案を実施するための最良の形態】
【００１１】以下、本考案の実施の形態を図面に基づき詳細に説明する。【００１２】図１は斜面から見た上部蓋を取り除いた全体図、図２は上部蓋を装着した全体図である。【００１３】図１、図２に示すように、桐製三角傾斜型骨壷は、本来丸型と異なり底部１、２、の部位に動物の長い大腿骨や前腕骨が粉骨せずに収めることができる。【００１４】長い大腿骨などを最初に収め、次に頭蓋骨、肩甲骨、第二頚椎、下顎を除く骨を収め、その上に残りの頭蓋骨を中心に、頭蓋骨の両サイドに下顎、肩甲骨を収めて、最後に第二頚椎に収める。
【実施例】
【００１５】桐製三角傾斜型骨壷は、それぞれのペットの種類によって使用する骨壷を使い分けることにより、骨壷内の余分なスペースもなく頭蓋骨も三角形なので、きつちりと収めることが出来る。
【産業上の利用可能性】
【００１６】本考案は、ペット霊園の収骨担当者が、業務遂行がしやすく又、飼い主に違和感を与えないように、考案されたもので、霊園業者に有用な桐製三角傾斜型骨壷を、製造、販売する産業分野で利用することができる。
【図面の簡単な説明】
【００１７】
【図１】本考案の桐製三角傾斜型骨壷の上蓋を取り除いた外観斜視図である。
【図２】図１の桐製三角傾斜型骨壷に、上蓋を装着した外観斜視図である。
【符号の説明】
【００１８】１，大腿骨などを収める部位。
【図１】
0003114814.tif 000003
【図２】
0003114814.tif 000004
(57)【要約】      （修正有）【課題】リングファイルやアルバムに使用されるＣＤ収納台紙で、ＣＤを収納する底つきの穴と、この穴のふたとなるフィルムを有することで、ＣＤにかかる荷重をなくすとともに、ＣＤの脱落を防ぐので安全にＣＤを保管できる。【解決手段】本考案は厚紙１にＣＤの大きさの穴２を設け、その裏打ちのに紙２を貼った後、表面に粘着剤４を塗布しフィルム５を貼った台紙であって、ＣＤを格納する時は、フィルムをはがし穴に入れ、使用時はフィルムをはがし穴からＣＤを取り出して使用する。ＣＤは底のついた穴２に収納されるので、外力や衝撃から守られるとともに、フィルムはふたとなってＣＤの脱落を防止できるので、リングファイルやアルバム内でこの台紙を使用すれば、ＣＤを長期間にわたって安全に保管することができる。【選択図】図１
0003114830.tif 000002
【実用新案登録請求の範囲】
【請求項１】
ＣＤの保管時は上部のフィルムをはがし底のある穴に収納し、ＣＤ使用時は、フィルムをはがしその穴から取り出すため、ＣＤ収納用の底のある穴を有し、蓋とするフィルムをはがしやすい粘着剤で貼った事を特徴とするＣＤ収納台紙
【考案の詳細な説明】
【技術分野】
【０００１】本考案は、ＣＤ大の穴を有する台紙の表面に粘着剤を塗り、その上に透明フィルムをおいてＣＤが収納できるようにした台紙に関する。
【背景技術】
【０００２】ＣＤが保管できるリングファイルやアルバム用（以下アルバム等と称す）の台紙はデジカメの普及と相まって、需要が拡大している。従来の構造は台紙にＣＤをいれるポケットを貼るか、台紙にもう一枚切り込みをつけた紙やフィルムを付けて、それにＣＤをはさみ込むようにしてある。
【考案の開示】
【考案が解決しようとする課題】
【０００３】これらの台紙の場合、ＣＤの厚み、ポケット等の台紙からの出っ張りがあって、長期間、アルバム等をつみ重ねたりすると、ＣＤがクリープ変形をおこし、またＣＤがアルバム等から脱落してしまう台紙もあって、保管面で不十分であった。
【課題を解決するための手段】
【０００４】本考案の台紙は、ＣＤを埋め込む穴をもうけた厚紙を別の厚紙で裏打ちした後、その表面にはがしやすい粘着材を塗布してフィルムを貼った構造を持つ。
【考案の効果】
【０００５】この台紙は、ＣＤが台紙に埋め込まれるのでＣＤは外部からの力・衝撃から守られ、また粘着材によって固定されたフィルムは穴のふたになり、台紙からＣＤ脱落すを防ぐために従来の問題点を解決できる。
【考案を実施するための最良の形態】
【０００６】本考案の台紙は、ＣＤの大きさにあけた穴を持つ厚めの紙に、もう一枚の紙を裏打ちして底つきの穴を作り、厚紙の表面に、はがしやすい粘着材を塗布後、フィルムを置いた構造を持つ。
【実施例】
【０００７】以下添付図面に従って一実施例を説明する。１はＡ４サイズで厚さ１ミリ強の厚紙、２はその中央付近に開けた直径約１５センチの穴、３は裏打ち用の厚さ０．５ミリの紙、４は塗布した粘着材、５はフィルム、６はフィルムがずれるのを防ぐ両面テープである。【０００８】本考案の実施例は上述のような構造をなすもので、この台紙を用いたアルバムやファイルにＣＤの収納時は、フィルム５を粘着材６の付いた厚紙１からはがし、穴２に入れフィルム５を貼りなおすだけ、ＣＤを使用する時は、逆にフィルム５を厚紙１からはがし穴から取り出す事だけできわめて簡単である。
【図面の簡単な説明】
【０００９】
【図１】本考案のＣＤ収納台紙の一実施例を示す図面である。
【図２】本台紙の断面図（ただし縦方向に拡大してある）
【符号の説明】
【００１０】１  台紙の表の面となる厚紙
２  ＣＤを納める穴
３  裏打ち用厚紙
４  粘着材
５  フィルム
６  両面テープ
【図１】
0003114830.tif 000003
【図２】
0003114830.tif 000004
(57)【要約】      （修正有）【課題】自動車運転席のフロント上部に取付けられるル−ムミラ−において、その後方視界確認機能を損なうことなく、同時に密閉された自動車室内の異臭を効率的に除去し、且つ心地よい香りを芳香して運転者の精神的、感覚的癒し効果を得て安全運転に寄与する。【解決手段】ミラ−１の背面部を肉厚のミラ−ケ−ス体２とし、この中央を空洞部とすると共に、これへ孔開きバケット体４を出入れ自在に収容し、且つ活性炭５及び芳香剤６、光触媒ボ−ル７を収納してなる。【選択図】図１
0003114822.tif 000002
【実用新案登録請求の範囲】
【請求項１】
ミラ−（１）の背面部を肉厚のミラ−ケ−ス体（２）とし、この中央を空洞部（３）とすると共に、これへ孔開きバケット体（４）を出入れ自在に収容し、且つ活性炭（５）及び芳香剤（６）、光触媒ボ−ル（７）を収納してなるル−ムミラ−。
【考案の詳細な説明】
【考案の詳細な説明】
【技術分野】
【０００１】  本考案は、自動車運転席のフロント上部に取付けられるル−ムミラ−に関するものである。
【従来技術】
【０００２】  従来、上記ル−ムミラ−は運転者が運転走行しつつ後方視界を確認するために設けられている。
運転中にいちいち振り返って後方を目視することは仲々できないし危険である。そのため該ル−ムミラ−で補足することによって安全運転を行っている。そのため後方視界が最も見やすいようにミラ−角度の調整を行って運転している。
【考案が解決しようとする課題】
【０００３】  ところで上記ル−ムミラ−は、単に運転中の後方視界確認のみをその主目的として取付けられている。
運転席のフロント上部という最も運転者に近く、且つワイドで明るく日照度の高い位置にありながらミラ−としての機能しか発揮していない。
【課題を解決するための手段】
【０００４】  そこで本考案は、上記ル−ムミラ−としての機能を損なうことなく、新たに脱臭機能や芳香機能、光触媒機能を発揮できるよう構成してなるものである。
【考案の実施の形態・実施例】
【０００５】  ミラ−（１）の背面部を肉厚のミラ−ケ−ス体（２）とし、この中央を空洞部（３）とすると共に、これへ孔開きバスケット体（４）を出入れ自在に収容し、且つ活性炭（５）及び芳香剤（６）、光触媒ボ−ル（７）を収納してなるものである。
【０００６】  上記構造のル−ムミラ−であるから、従来同様に後方視界の確認が行えると同時に、バケット体（４）に収納された活性炭（５）及び芳香剤（６）、光触媒ボ−ル（７）の作用によって、自動車室内の種々の異臭を多数の細孔（８）を通して除去し、且つ心地よい香りを芳香するので、精神的、感覚的な癒し効果が発揮され、安定した安全運転を行うことができる。
なお、活性炭（５）及び芳香剤（６）、光触媒ボ−ル（７）の出入れや取替えはバケット体（４）を引出すことによって簡単に行える。
【考案の効果】
【０００７】  ル−ムミラ−の後方視界の確認を行う機能を損なうことなく、同時に密閉された自動車室内の種々の異臭を効率よく除去できると共に、心地よい香りを発散して精神的、感覚的な癒し効果を発揮して、より安全な運転走行が実施できる有益考案を提供するものである。
【図面の簡単な説明】
【０００８】
【図１】    本考案の実施状態を示す斜視図。
【図２】    本考案のＡ−Ｂ線断面図。
【符号の説明】
【０００９】１      ミラ−                  ２      ミラ−ケ−ス体
３      空洞部                  ４      バケット体
５      活性炭                  ６      芳香剤
７      光触媒ボ−ル            ８      細孔
９      取付けステ−
【図１】
0003114822.tif 000003
【図２】
0003114822.tif 000004
(57)【要約】      （修正有）【課題】本考案はガードレールに接触、衝突などを起した車輌等がビームの継ぎ目に引掛かり、車体の一部が残り通行人等に危険を与えることをビームの下段側の表面に凸形状を設ける事により防止する。【解決手段】本考案はビームとビームの重ね合わせ部分の下段側ビーム表面に凸形状を成型し、重ね合わせの隙間（上段側ビーム小口）を１の様に隠し車輌等の車体の引っ掛かりを起こし難くすることによりガードレールの機能の安全性を高める事に役立つ。【選択図】図１
0003114823.tif 000002
【実用新案登録請求の範囲】
【請求項１】
ガードレールのビーム表面に凸形状を成型したものでビームの道路側を上段、道路奥側を下段とすると、重なり箇所の下段ビーム表面に凸形状を成型させることにより、上段ビームの小口部分を隠し車輌等が接触、衝突を起しても車体等の一部がビームの重なり部分に挟まり難くすることを特徴とする構造。
【考案の詳細な説明】
【技術分野】
【０００１】本考案はガードレールのビーム表面に凸形状を成型したものでビームとビームの重なり合う部分の下段側表面に凸形状を成型し、重ね合わせ部分に異物が挟まり難くすることを特徴とするビームに関するものである。
【技術の背景】
【０００２】ガードレールに接触、衝突などを起した車輌等の車体の一部がビームとビームの重ね合わせの隙間に引掛かり、剥ぎ取られて危険性のある金属片等が残ることが有るため。
【考案の開示】
【考案が解決しようとする課題】
【０００３】事故車輌がビームとビームの重ね合わせの隙間に車体等の一部の金属片等を残し、通行人等に危険を及ぼす事を解決しようとするものである。
【問題を解決するための手段】
【０００４】本考案はガードレール、重ね合わせ部の下段側ビーム表面を凸形状に成型する事により、上段側ビームの小口を隠し車輌等の接触、衝突による車体等の一部が引掛かり、残置する危険を解決している。
【考案の効果】
【０００５】上述の形状をビームに成型することにより従来は考慮されていなかった金属片等の残置対策が施されることとなりガードレールに対する安全性がいっそう高まる事になり役立つ。
【考案を実施するための最良の形態】
【０００６】ガードレールのビーム表面に成型する凸形状はビームの道路側を上段、道路奥側を下段とすると、重なり合う下段側ビームの表面に凸形状を成型する。その断面形状は滑らかな線形で構成し凸形状の高さは上段側ビーム小口の厚みを必ず越える高さであることとする。凸部の位置は上段側ビーム小口の間近に設け、間隔をあまり開けないようにする。また凸部の平面形状はビームの凹凸に沿って上下に連続、または丸型、長円形等を適度な間隔で配しても良いが上段側ビーム小口がよく隠れる様にする。
【図面の簡単な説明】
【０００７】
【図１】  本考案のビームを取り付けたガードレールの立面図と水平方向断面図。ビームは上下方向に凹凸があるので凸形状もビーム形状に合わせている。（凸形状を強調している。）
【図２】  本考案のビーム円形凸形状の立面図と断面図。
【図３】  標準的ガードレールの平面図及び正面図。
【符号の説明】
１    凸形状
２    上段ビーム
３    下段ビーム
４    ビーム取付ボルト
５    支    柱
【図１】
0003114823.tif 000003
【図２】
0003114823.tif 000004
【図３】
0003114823.tif 000005
(57)【要約】      （修正有）【課題】本考案のブラジャーは、簡単に乳がんの自己検診ができるブラジャーである。【解決手段】本考案のブラジャーは、カップ部１に、渦巻き状と放射状の方向にマーキングＡ，Ｂが施されてあり、このマーキングを視診・触診することにより、乳房の形状の変化やしこりの有無などを観察・確認して、簡単な乳がんの自己検診ができる。【選択図】図１
0003114824.tif 000002
【実用新案登録請求の範囲】
【請求項１】
乳がんの自己検診ができるブラジャーであって、ブラジャーのカップ部に、渦巻き状と放射状の方向にマーキングが施されており、このマーキングを視診・触診することにより乳房の形状やしこりの有無などを観察・確認して、簡単な乳がんの自己検診ができるブラジャーである。
【考案の詳細な説明】
【技術分野】
【０００１】  本考案は、乳がんの自己検診ができるブラジャーに関するものである。
［技術背景］【０００２】  近年、乳がんの罹患率が高まっており、早期発見は重要な問題となっている。
しかし、乳がん検診に行くのが遅れ、手遅れになるケースも少なくない。
そうならないためにも普段から乳房の形状の変化やしこりの有無などを自己検診して異状がないかチェックしておく必要がある。
［考案の開示］
［考案が解決しようとする課題］【０００３】  従来、乳がんの自己検診は、自宅での乳房の視診や触診によるもので、自己流に乳房の形やしこりの有無などをチェックしたりするものであった。
しかし、こんな方法では、専門家ではないので判断があいまいであったり、自宅以外ですることはまずない。
本考案は、乳がんの自己検診をもっと容易に、自宅以外のどこでもできることを可能にするブラジャーをつくることにより、前述の問題点を解決しようというものである。
［課題を解決するための手段］【０００４】  本考案は、密着性と伸縮性のあるブラジャーのカップ部に、渦巻き状と放射状のマーキングをつけることで、鏡などでこのマーキングの変化を見ることによって、乳房の形状の変化（左右の大きさ、へこみ等）を視診でき、さらにマーキング部を触診（渦巻き状の方向、放射状の方向）することで乳房のしこりの有無をチェックできる。さらに、乳頭部の色の変化（着色）により、分泌物の有無が調べられる。
［考案の効果］【０００５】上述のように、ブラジャーのカップ部にマーキングした渦巻き状と放射状のマークを視診・触診することで、簡単にどこでも自己検診ができる。
［考案が実施するための最良の形態］【０００６】  ブラジャーのカップ部のマーキング（渦巻き状、放射状）を視診・触診するものであるが、そのチェックポイントは、以下の通り。
視診；乳房のカップ部のマーキングの変化を鏡などで見て、左右対称的か、くぼみはないか、ひきつれはないか、はれてないか等をチェックする。
触診；カップ部のマーキングに沿って、渦巻き状と放射状に触診して、しこりの有無をチェックする。
また、ブラジャーの乳頭部の色の変化（着色）により分泌物の有無をチェックする。
［実施例］【０００７】  以下、添付図面に従って実施例を説明する。
［図１］は、本考案のブラジャーの全体図である。
［図２］は、本考案のブラジャーのカップ部（片側）である。【０００８】本考案のブラジャーは、乳房に密着性と伸縮性がある素材を使用するが、全体図は、カップ部１とストラップ部２とバンド部３から成る。
カップ部１は、渦巻き状にマーキング（赤）された渦巻き状マーキング部Ａと放射状にマーキング（青）された放射状マーキング部Ｂと乳頭部Ｃから成る。【０００９】１．視診では、鏡などの前に立ち、左右の乳房の形、大きさ、へこみ等の変化をマーキング（渦巻き状、放射状）の形態変化によってチェックする。
特に、このチェックは、両手を下ろした状態、両手を上げた状態、横向きの状態の３通りでチェックすることが望ましい。
２．触診では、マーキング（渦巻き状、放射状）の方向に沿って、手で円を描くように乳房全体をさわって、しこりが無いかチェックしてゆく。
その際、上半身を起こして、調べる側の手を下ろしたまま、反対側の手で乳房をさわる場合と、仰向きに横になり同様に乳房をさわる場合の２通りのチェックをすることが望ましい。
３．乳頭部の分泌物のチェックは、乳頭部Ｃの素材を薄く着色性のあるものを使用することで、分泌物がでていると変色（着色）するようにする。
以上の自己検診チェックをして、異状が見つかった時は、専門医の診断を受けることが望ましい。
【図面の簡単な説明】
【００１０】［図１］  ブラジャーの全体図
［図２］  ブラジャーのカップ部（片側）
【符号の説明】
【００１１】  １  カップ部
２  ストラップ部
３  バンド部
Ａ  渦巻き状マーキング部（赤）
Ｂ  放射状マーキング部（青）
Ｃ  乳頭部
【図１】
0003114824.tif 000003
【図２】
0003114824.tif 000004
(57)【要約】      （修正有）【課題】本考案は簡単な構造で容易に製造することができ、しかも寝たまま被介護者の頭部を持ち上げて背中に挿し込むという簡単な作業で散髪作業ができる頭部支持つき散髪架台を提供する。【解決手段】ベットと被介護者の背中の間に頭部側が開いた二枚の板製受け台板、側面から見ると三角形を挿し込み被介護者の背中と頭部をベットより離して空間を作り、頭部受けにて頭を安定させ、カットクロスをベット端末よりフレーム下部を通して、被介護者の両肩、首部を覆うことによりヘアースタイルを好みに合わせて自由に散髪でき、電動ベットの場合は適切な角度まで起こして散髪することができる。【選択図】図２
0003114826.tif 000002
【実用新案登録請求の範囲】
【請求項１】
２枚の台板、即ちベット、布団受け台板と人体受け上台板を重ね、端末にヒンヂを設け接続し、開閉自在となし適切な上部間隔になるよう支持枠を支持支点具に固定し、人体背面と布団、ベット間にヒンヂ側を下にして挿入し、人体上部を起こして頭部が頭部受けにより空間をつくり散髪する被介護者用散髪補助台。
【請求項２】
人体受け上台板中央端末より充分両手が入るようコの字形のフレームを設け、その上部突端に間隔を取り、頭部受けを２ヶ所にて構成された請求項１記載の被介護者用散髪補助台。
【請求項３】
頭部受け部２ヶ所は柔らかなスポンジ状製とし、布袋を被せ、頭部が痛くならないように、又、交換洗浄できる請求項１記載の被介護者用散髪補助台。
【請求項４】
頭部受け付根が前設上受け台板に取付けてあることより、カットクロスを安易に被介護者の首部に装着できる請求項１の被介護者用散髪補助台。
【請求項５】
散髪終了後の搬送には支持枠を支点より外し、上下台板を折り畳むことができる請求項１の被介護者用散髪補助台。
【請求項６】
頭部受けフレームは長さ調整セットボルトが付いており自由に定間隔を延び縮みでき、適切に人体頭部を支持する請求項１の被介護者用散髪補助台。
【請求項７】
すべり止め支持支点具を多段に設けることにより、上部開閉角度が自由に得られる請求項１の被介護者用散髪補助台。
【考案の詳細な説明】
【技術分野】
【００１】  本考案は病院、施設等で、寝たきり患者の散髪を容易にする補助台である。
【背景技術】
【００２】  寝たきり患者の散髪に於いては二人で１組となり、１人が被介護者を抱き起こし維持しつつ他の１人散髪を行っていた。
【考案の開示】
【考案が解決しようとす課題】
【００３】  二人１組で一人の被介護者を散髪することは非合理的であって、又、一人で散髪する場合もあり、散髪者の技術には限界があって、更に散髪者身体の負担は大きく、腰痛などがひどくなる。これらの問題を被介護者の頭部を布団、又はベットより受け台を使って空間を作り散発しやすいようにする。
【課題を解決するための手段】
【００４】  本考案は二枚の台板を重ね、一方をヒンヂにて接続し、他方を開き、被介護者の背面にヒンヂ側より挿入し、上体を勾配つけて起こし、頭部受けにて頭部を支持し、布団、ベットより空間を保ち散発が可能となる。
【考案の効果】
【００５】  上記のように、本考案の被介護者用散髪補助台は被介護者の頭部を持ち上げて支持し、その空間に於いて自由に散発が出来、又、電動ベットに於いては理想的角度が得られ、散発の技術が充分生かされる効果がある。
【考案を実施するための最良の形態】
【００６】  下受け台と上受け台とは下部に於けるヒンヂにより上部開閉自在となっており、安定した被介護者が自然体となるまで支持枠を設置する。また電動ベットに於いては、その角度を調整して、ヘアースタイルを好みに合わせて散髪する。
【実施例】
【００７】    以下添付図面に従って実施例を説明する。１人体上受け台板及び、２布団、ベット下受け台板は耐久性のある木板、またはプラスチック等適宜素材にて、６ヒンヂを使って一体化形成された本体を５支持枠にて適切角度に９上部を開き、５支持枠を７支持支点具に設定し、被介護者の背中と８布団、ベットの間に９ａ下部より挿し込み、頭部を３頭部支持具に固定し、また８電動ベットの場合は適度の角度まで上体上部を安定した体勢になるまで上昇させて散髪する。
【図面の簡単な説明】
【００８】
【図１】本考案の被介護者用散髪補助台の正面図である。
【図２】本被介護者用散髪補助台の側面図である。
【図３】本被介護者用散髪補助台の上部人体受け上台板の背面図である。
【図４】本被介護者用散髪補助台の下部布団、ベット受け下台板の正面図である。
【図５】本被介護者用散髪補助台の実施例図である。
【図６】本被介護者用散髪補助台の折りたたみ図である。
【図１】
0003114826.tif 000003
【図２】
0003114826.tif 000004
【図３】
0003114826.tif 000005
【図４】
0003114826.tif 000006
【図５】
0003114826.tif 000007
【図６】
0003114826.tif 000008
(57)【要約】      （修正有）【課題】どんな場所にでも敷き詰められる多目的マット、或いは人工的でなく自然に近い刺激を得られる健康マットを提供する。【解決手段】マット１の四方周辺にジグソー結合部２を設け、上面に天然石３を埋設或いは接着することにより、足踏み運動を行うと天然石が足裏を適度に刺激し、健康維持に極めて有効である。【選択図】図１
0003114821.tif 000002
【実用新案登録請求の範囲】
【請求項１】
ジグソーマット上に天然石を埋設し、複数の該マットを用途に適した形状に連結でき、歩行運動や足踏み運動のできる事を特徴とする天然石を散りばめたジグソーマット。
【考案の詳細な説明】
【技術分野】
【０００１】  この考案は、天然石により足裏を押圧する足踏み用、或いは設置場所に合わせて自在に形成できる、天然石を散りばめたジグソーマットに関するものである。
【背景技術】
【０００２】  従来より、足裏刺激による健康マットはサイズが画一的で、足ツボの刺激効果だけを考慮された治療用具のマットが多い。
【考案の開示】
【考案が解決しようとする課題】
【０００３】  これは次のような欠点があった。
（イ）マットサイズが画一的である。
（ロ）刺激球の形状も画一的で、変化が無い。
（ハ）設置場所が狭いと、歩行運動が出来ない。
（ニ）治療効果を優先する為、多様性が無い。
本考案は、以上の欠点を解決するために考案されたものである。
【課題を解決するための手段】
【０００４】  マットの周辺にジグソー接合部を設け、上面に天然石を埋設或いは接着する。
本考案は、以上の構成よりなる。
【考案の効果】
【０００５】  設置場所に合わせてジグソーマットを連接し、その上を足踏み運動或いは歩行運動すると、天然石が足裏を適度に刺激し、健康維持に極めて有効である。
【考案を実施するための最良の形態】
【０００６】  以下、本考案の実施の形態について説明する。
（イ）該マットの四方周辺にジグソー結合部を設ける。
（ロ）マット上面に天然石を散りばめ、埋設或いは接着する。
本考案は以上のような構成でこれを使用する時は、設置場所に合わせてジグソーマットを連接して敷き詰める。その上を足踏み運動或いは歩行運動すると、程よく足裏を刺激することが出来る。
【実施例】
【０００７】  ベランダや廊下に設置して、歩行運動に利用する。
【産業上の利用可能性】
【０００８】  一般家庭に留まらず、健康ランドやスーパー銭湯での普及が望まれる。
【図面の簡単な説明】
【０００９】
【図１】  本考案を示した斜視図である。
【図２】  本考案の使用状態を示した斜視図である。
【符号の説明】
【００１０】      １  マット本体
２  ジグソー結合部
３  天然石
【図１】
0003114821.tif 000003
【図２】
0003114821.tif 000004